(57)【要約】【課題】外国人登録申請に必要な申請人（外国人），市区町村役場職員，及び地方入国管理局職員の負担を軽減すること。【解決手段】ホスト・コンピュータ７とデータベース８から構成される外国人登録情報処理装置であって，ホスト・コンピュータ７は，ネットワーク６を介して送受信し，受信した外国人登録申請データの各項目についてチェックすると共に，付設されているデータベース８に格納されている外国人登録情報と照合チェック処理した後，そのデータベース８に登録処理し，或いは更新処理し，その処理された外国人登録申請情報に関するデータチェック・登録・更新結果データを送信する機能を持ち，データベース８は，最新情報テーブル３０ａと画像情報テーブル３０ｂと変更履歴情報テーブル３０ｃから成る登録情報テーブル３０を有する。【選択図】    図１
2004252735.tif 000002
【特許請求の範囲】
【請求項１】
ホスト・コンピュータ７とデータベース８から構成される外国人登録情報処理装置であって，
ホスト・コンピュータ７は，ネットワーク６を介して送受信し，受信した外国人登録申請データの各項目についてチェックすると共に，付設されているデータベース８に格納されている外国人登録情報と照合チェック処理した後，そのデータベース８に登録処理し，或いは更新処理し，その処理された外国人登録申請情報に関するデータチェック・登録・更新結果データを送信する機能を持ち，
データベース８は，最新情報テーブル３０ａと画像情報テーブル３０ｂと変更履歴情報テーブル３０ｃから成る登録情報テーブル３０を有する，
ことを特徴とする外国人登録情報処理装置。
【請求項２】
サーバ・コンピュータ４とデータベース５から構成される外国人登録申請情報処理装置であって，
サーバ・コンピュータ４は，ネットワーク３とネットワーク６を介して送受信し，受信した外国人登録申請データをデータベース５に登録すると共にネットワーク６を介して送信し，データチェック・登録・更新結果データをネットワーク６を介して受信すると共にネットワーク３を介してクライアント・コンピュータ２へ送信し，登録結果データをデータベース５に登録する機能を持ち，
データベース５は，申請情報テーブル２０を有する，
ことを特徴とする外国人登録申請情報処理装置。
【請求項３】
クライアント・コンピュータ２と入出力装置１から構成される外国人登録申請データ処理装置であって，
クライアント・コンピュータ２は，入力された外国人登録申請データを送信し，データチェック・登録・更新結果データを受信し，チェック結果及び外国人登録申請の完了を各種メッセージとして出力する機能を持ち，
入出力装置１は，各種データを入力するための入力手段と，証明書や本人写真を読み取る手段と，チェック結果及び外国人登録申請の完了を各種メッセージとして出力する出力手段を有する，
ことを特徴とする外国人登録申請データ処理装置。
【請求項４】
請求項１に記載された外国人登録情報処理装置と，請求項２に記載された外国人登録申請情報処理装置と，請求項３に記載された外国人登録申請データ処理装置から構成されることを特徴とする外国人登録電子申請システム。
【請求項５】
コンピュータプログラムを記憶した記憶媒体であって，
コンピュータプログラムは，外国人登録申請データを入力するステップと，申請事由が所定の事由であるか否かを判定するステップと，申請事由が新規登録であるか否かを判定するステップと，登録番号を付与するステップと，登録番号が有るか否かを判定するステップと，身分事項を照合するステップと，変更項目情報が有るか否かを判定するステップと，変更項目情報を照合するステップと，外国人登録申請データを登録し，変更情報を更新すると共に変更の履歴を書き込むステップと，申請事由にエラー，登録番号が無い，身分事項にエラー，変更項目情報にエラー，外国人登録申請が完了した，旨のメッセージを作成するステップと，付与された登録番号，及び／或いは，作成された各種メッセージを送信するステップと，を有するデータチェック・登録・更新処理プログラムであることを特徴とするコンピュータプログラムを記憶した記憶媒体。
【発明の詳細な説明】
【０００１】
【発明の属する技術分野】
本発明は，外国人登録電子申請システムに関し，特に外国人登録申請データのチェック，登録，更新を正確に管理する外国人登録電子申請システムに関する。
【０００２】
【従来の技術】
従来から，書類発行申請人（地域住民）が，各種申請用紙に必要事項を記入し，必要が有れば指定された証明書類や写真等を添えて，居住地域の市区町村役場に出向いて提出していた。これでは，申請に時間が掛かるので，最近では，インターネットを介して，書類発行申請人の自宅の端末から電子的に手続をする書類発行申請システムが知られている（例えば，特許文献１参照）。
【０００３】
又，外国人登録申請は，現在，申請人（外国人）が，各種申請用紙に必要事項を記入し，指定された証明書類や写真等を添えて，居住地の市区町村役場に出向いて提出している。市区町村役場ではその外国人登録申請情報を，紙等の記録媒体として，所轄の地方入国管理局に送付する。各地方入国管理局は，受け取った外国人登録申請情報に基づいて，外国人登録証明書の発行，異動に基づく各種通知や指示を，該当する市区町村役場に対して行う。又，法務省は，各地方入国管理局で保持する外国人登録申請情報を随時入手して，外国人登録申請情報に関する各種データを作成し，蓄積して，利用している。
【０００４】
【特許文献１】
特開２００１−３４４３８２号公報
【０００５】
【発明が解決しようとする課題】
外国人登録法は，外国人が居住地の自治体に対して届け出るべき事項を規定しているが，この各種届け出は媒体が紙であるため，受付から登録／交付までに時間が掛かっていた。又，外国人登録申請情報に関する各種データの利用にも時間が掛かっていた。
【０００６】
本発明は，かかる問題を解消するためになされたものであり，外国人登録申請に必要な申請人（外国人），市区町村役場職員，及び地方入国管理局職員の負担を軽減することであり，又外国人登録申請情報を，正確に管理し且つ即時に交付することを可能にすることを目的とする。
【０００７】
【課題を解決するための手段】
上記目的を達成するために，
請求項１の記載に係る発明は，
ホスト・コンピュータ７とデータベース８から構成される外国人登録情報処理装置であって，
ホスト・コンピュータ７は，ネットワーク６を介して送受信し，受信した外国人登録申請データの各項目についてチェックすると共に，付設されているデータベース８に格納されている外国人登録情報と照合チェック処理した後，そのデータベース８に登録処理し，或いは更新処理し，その処理された外国人登録申請情報に関するデータチェック・登録・更新結果データを送信する機能を持ち，
データベース８は，最新情報テーブル３０ａと画像情報テーブル３０ｂと変更履歴情報テーブル３０ｃから成る登録情報テーブル３０を有する，
ことを特徴とする。
【０００８】
請求項２の記載に係る発明は，
サーバ・コンピュータ４とデータベース５から構成される外国人登録申請情報処理装置であって，
サーバ・コンピュータ４は，ネットワーク３とネットワーク６を介して送受信し，受信した外国人登録申請データをデータベース５に登録すると共にネットワーク６を介して送信し，データチェック・登録・更新結果データをネットワーク６を介して受信すると共にネットワーク３を介してクライアント・コンピュータ２へ送信し，登録結果データをデータベース５に登録する機能を持ち，
データベース５は，申請情報テーブル２０を有する，
ことを特徴とする。
【０００９】
請求項３の記載に係る発明は，
クライアント・コンピュータ２と入出力装置１から構成される外国人登録申請データ処理装置であって，
クライアント・コンピュータ２は，入力された外国人登録申請データを送信し，データチェック・登録・更新結果データを受信し，チェック結果及び外国人登録申請の完了を各種メッセージとして出力する機能を持ち，
入出力装置１は，各種データを入力するための入力手段と，証明書や本人写真を読み取る手段と，チェック結果及び外国人登録申請の完了を各種メッセージとして出力する出力手段を有する，
ことを特徴とする。
【００１０】
請求項４の記載に係る発明は，
請求項１に記載された外国人登録情報処理装置と，請求項２に記載された外国人登録申請情報処理装置と，請求項３に記載された外国人登録申請データ処理装置から構成されることを特徴とする外国人登録電子申請システムである。
【００１１】
請求項５の記載に係る発明は，
コンピュータプログラムを記憶した記憶媒体であって，
コンピュータプログラムは，外国人登録申請データを入力するステップと，申請事由が所定の事由であるか否かを判定するステップと，申請事由が新規登録であるか否かを判定するステップと，登録番号を付与するステップと，登録番号が有るか否かを判定するステップと，身分事項を照合するステップと，変更項目情報が有るか否かを判定するステップと，変更項目情報を照合するステップと，外国人登録申請データを登録し，変更情報を更新すると共に変更の履歴を書き込むステップと，申請事由にエラー，登録番号が無い，身分事項にエラー，変更項目情報にエラー，外国人登録申請が完了した，旨のメッセージを作成するステップと，付与された登録番号，及び／或いは，作成された各種メッセージを送信するステップと，を有するデータチェック・登録・更新処理プログラムであることを特徴とする。
【００１２】
【発明の実施の形態】
以下，本発明に係る外国人登録電子申請システム及び本発明の外国人登録情報処理装置について，図１〜図４を用いて説明する。図１は，本発明に係る外国人登録電子申請システムの構成を，図２は外国人登録電子申請システムで使用される各種データ及びテーブルで，（１）は入力データ，（２）は申請データテーブル，（３）は申請情報テーブル，（４）は登録情報テーブルを，図３は外国人登録電子申請システムの各装置の動作のフローチャートを，図４は本発明の外国人登録情報処理装置のデータチェック・登録・更新処理のフローチャートを，それぞれ示す図である。
【００１３】
図１において，外国人登録電子申請システムは，外国人登録申請データ処理装置と，外国人登録申請情報処理装置と，外国人登録情報処理装置とから構成され，外国人登録申請データ処理装置は入出力装置１とクライアント・コンピュータ２から，外国人登録申請情報処理装置はサーバ・コンピュータ４とデータベース５から，外国人登録情報処理装置はホスト・コンピュータ７とデータベース８から構成される。外国人登録電子申請システムは，ネットワーク３とネットワーク６で接続される。
【００１４】
入出力装置１は，市区町村役場に設けられ，外国人登録申請に必要な，各種データを入力するための入力手段，申請書に添付した証明書や本人写真の画像を読み取る手段，及びサーバ・コンピュータ４から送られて来るデータチェック・登録・更新結果データに基づくチェック結果及び外国人登録申請の完了を各種メッセージとして出力する出力手段を有する。入出力装置１は，クライアント・コンピュータ２に接続される。
【００１５】
クライアント・コンピュータ２は，市区町村役場に設けられ，入出力装置１から入力された外国人登録申請データを，ネットワーク３を介して各地方入国管理局に設けられているサーバ・コンピュータ４へ送信する機能と，ホスト・コンピュータ７で処理された外国人登録申請情報に関するデータチェック・登録・更新結果データを，ネットワーク６，サーバ・コンピュータ４，ネットワーク３を介して受信し，チェック結果及び外国人登録申請の完了を各種メッセージとして出力手段に出力する機能を持つ。
【００１６】
ネットワーク３は，クライアント・コンピュータ２とサーバ・コンピュータ４を接続するもので，例えば住民基本台帳ネットワークが使用される。
【００１７】
サーバ・コンピュータ４は，各地方入国管理局に設けられ，外国人登録申請データを，クライアント・コンピュータ２からネットワーク３を介して受信する機能と，その外国人登録申請データを，ネットワーク６を介して法務省に設けられたホスト・コンピュータ７へ送信する機能と，ホスト・コンピュータ７で処理された外国人登録申請情報に関するデータチェック・登録・更新結果データを，ネットワーク６を介して受信する機能と，そのデータチェック・登録・更新結果データを，ネットワーク３を介してクライアント・コンピュータ２へ送信する機能と，外国人登録申請データ及びデータチェック・登録・更新結果データを用いて，データベース５の申請情報テーブル２０に格納されている外国人登録申請情報を登録し更新する機能を持つ。
【００１８】
データベース５は，各地方入国管理局に設けられ，サーバ・コンピュータ４に付設されて，外国人登録申請情報を申請情報テーブル２０に記録し保存する。データベース５に外国人登録申請情報を保持することにより，ネットワーク６及びホスト・コンピュータ７に障害が発生しても，サーバ・コンピュータ４が登録証明書を再発行することを可能にする。
【００１９】
ネットワーク６は，サーバ・コンピュータ４とホスト・コンピュータ７を接続するもので，例えば法務省入管局ネットワークが使用される。
【００２０】
ホスト・コンピュータ７は，法務省に設けられ，外国人登録申請データを，サーバ・コンピュータ４からネットワーク６を介して受信する機能と，送られて来た外国人登録申請データの各項目についてチェックすると共に，付設されているデータベース８に格納されている外国人登録情報と照合チェック処理した後，そのデータベース８に登録処理し，或いは更新処理する機能と，その処理された外国人登録申請情報に関するデータチェック・登録・更新結果データを，ネットワーク６を介してサーバ・コンピュータ４へ送信する機能を持つ。
【００２１】
データベース８は，法務省に設けられ，ホスト・コンピュータ７に付設されて，外国人登録情報を登録情報テーブル３０に記録し保存する。
【００２２】
次に，外国人登録申請において使用される外国人登録申請情報の各種データを，図２を用いて説明する。大きく分けると，外国人登録申請人が入力する入力データと，クライアント・コンピュータ２の内部記憶装置の申請データテーブル１０に記憶される外国人登録申請データと，各地方入国管理局に設けられたデータベース５の申請情報テーブル２０に記憶される外国人登録申請情報と，法務省に設けられたデータベース７の登録情報テーブル３０に記憶される外国人登録情報の４種類から成る。
【００２３】
図２において，外国人登録申請人の入力データは，申請事由１と，申請日２と，居住地３と，身分事項（氏名・性別・生年月日・国籍）４と，登録番号５と，変更項目情報６と，画像情報７から成る。なお，申請事由１〜変更項目情報６は申請書で入力する情報であり，画像情報７は本人写真画像等である。
【００２４】
変更項目情報６は，その外国人登録申請によって変更する前の情報である。図示した例では「居住地：大阪」であり，その外国人登録申請によって居住地が大阪から東京に変更になった例である。
【００２５】
外国人登録申請データは，申請データテーブル１０に格納され，送信先１１と，前記入力データである，申請事由１と，申請日２と，居住地３と，身分事項（氏名・性別・生年月日・国籍）４と，登録番号５と，変更項目情報６と，画像情報７から成る。そして，送信先１１と，申請事由１〜画像情報７により，外国人登録申請人１人の１レコードが構成される。
【００２６】
送信先１１は，外国人登録申請人が入出力装置１から前記入力データを入力すると，クライアント・コンピュータ２で自動的に設定される。外国人登録申請データは，この送信先１１が示すサーバ・コンピュータ４へ送信される。
【００２７】
外国人登録申請情報は，申請情報テーブル２０に格納され，受理番号２１と，前記入力データである，申請事由１と，申請日２と，居住地３と，身分事項（氏名・性別・生年月日・国籍）４と，変更項目情報６と，画像情報７と，登録番号２２から成る。そして，受理番号２１と，申請事由１〜身分事項４と，変更項目情報６と，画像情報７と，登録番号２２により，受理番号毎の１レコードが構成される。
【００２８】
受理番号２１は，クライアント・コンピュータ２から外国人登録申請データが送られて来た時に，サーバ・コンピュータ４で自動的に付与される識別番号であり，外国人登録申請情報レコードを検索する際にキーとなるものである。
【００２９】
登録番号２２は，新規登録の際にホスト・コンピュータ７で自動的に設定されるものであり，ホスト・コンピュータ７からサーバ・コンピュータ４に返送されて来た時に，データベース５の申請情報テーブル２０に記録し保存される。
【００３０】
外国人登録情報は，登録情報テーブル３０に格納される。登録情報テーブル３０は，最新情報テーブル３０ａ，画像情報テーブル３０ｂ，変更履歴情報テーブル３０ｃから構成される。
【００３１】
最新情報テーブル３０ａには，登録番号３１と，申請事由１と，申請日２と，居住地３と，身分事項（氏名・性別・生年月日・国籍）４と，変更履歴回数３２と，画像番号３３と，登録年月日３４が格納される。
【００３２】
登録番号３１は，申請情報テーブル２０の登録番号２２である。
【００３３】
変更履歴回数３２は，新規登録を除く外国人登録申請の回数であり，外国人登録情報を変更した回数である。
【００３４】
画像番号３３は，画像情報テーブル３０ｂの画像番号３５である。図示した例では，登録番号３１が登録番号２では，再交付により「本人写真」を画像番号３５の「画像番号２」に代えて「画像番号４」となっている。
【００３５】
登録年月日３４は，新規登録の外国人登録申請が為された日である。
【００３６】
画像情報テーブル３０ｂには，画像番号３５と，登録番号３１と，画像データ３６と，登録年月日３４が格納される。
【００３７】
画像番号３５は，画像情報７夫々を識別するための番号であり，ホスト・コンピュータ７へ入力された順に自動的に設定される。
【００３８】
画像データ３６は，画像番号３５（画像番号３３）の画像情報７の内容である。図示した例では，全てが「本人写真」である。
【００３９】
変更履歴情報テーブル３０ｃには，履歴管理番号３７と，登録番号３１と，申請事由１と，変更項目情報３８と，更新年月日３９が格納される。
【００４０】
履歴管理番号３７は，新規登録を除く外国人登録申請の度に，即ち外国人登録情報を変更する度に，１づつ増加する番号であり，この履歴管理番号３７と登録番号３１をキーとして変更履歴情報は検索することが可能である。
【００４１】
変更項目情報３８は，新規登録を除く外国人登録申請により外国人登録情報が変更になった場合の，変更項目情報である。図示した例では，登録番号３１が登録番号１では旧「居住地が大阪」である，登録番号３１が登録番号２では旧「画像番号が２」である，ことを表している。
【００４２】
更新年月日３９は，新規登録を除く外国人登録申請により外国人登録情報が変更され，更新された日である。
【００４３】
新規登録した場合は，ホスト・コンピュータ７において，登録番号３１と登録年月日３４が自動的に設定される。外国人登録情報に変更があった場合は，最新情報テーブル３０ａを更新すると共に，変更前情報を画像情報テーブル３０ｂ及び変更履歴情報テーブル３０ｃに変更履歴情報として格納する。
【００４４】
外国人登録申請におけるクライアント・コンピュータ２，サーバ・コンピュータ４，ホスト・コンピュータ７の動作について，図３のフローチャートを用いて説明する。
【００４５】
図３において，市区町村役場で，外国人登録申請人が入出力装置１から前記入力データを入力すると，市区町村役場のクライアント・コンピュータ２は，送信先１１を自動的に設定し，前記入力データを用いて，申請データテーブル１０を作成する（ステップＳ１０１）。次に，クライアント・コンピュータ２は，申請データテーブル１０に格納されている外国人登録申請データを，地方入国管理局のサーバ・コンピュータ４へ送信する（ステップＳ１０２）。
【００４６】
地方入国管理局のサーバ・コンピュータ４は，外国人登録申請データを受信すると，受理番号２１を自動的に付与し，外国人登録申請情報として，付設されているデータベース５に申請情報テーブル２０（１）として登録する（ステップＳ１０３）。その時，登録番号は未だ付与されていないので，申請情報テーブル２０（１）の登録番号２２欄は「なし」である。次に，法務省のホスト・コンピュータ７へ外国人登録申請データを送信する（ステップＳ１０４）。
【００４７】
法務省のホスト・コンピュータ７は，外国人登録申請データを受信すると，外国人登録申請データの各項目についてチェックすると共に，付設されているデータベース８に格納されている外国人登録情報と照合チェックした後，そのデータベース８に登録し，或いは更新する（ステップＳ１０５）。次いで，ホスト・コンピュータ７は，サーバ・コンピュータ４へデータチェック・登録・更新結果データを送信する（ステップＳ１０６）。
【００４８】
地方入国管理局のサーバ・コンピュータ４は，ホスト・コンピュータ７からデータチェック・登録・更新結果データを受信すると，付設されているデータベース５の申請情報テーブル２０に登録・更新結果データを反映させて，申請情報テーブル２０（２）とする（ステップＳ１０７）。その際，登録番号が送られてくるので，申請情報テーブル２０（２）の登録番号２２欄は「３」となる。次に，サーバ・コンピュータ４は，市区町村役場のクライアント・コンピュータ２にデータチェック・登録・更新結果データを送信する（ステップＳ１０８）。
【００４９】
市区町村役場のクライアント・コンピュータ２は，データチェック・登録・更新結果データを受信すると，チェック結果及び外国人登録申請の完了を各種メッセージとして出力する（ステップＳ１０９）。
【００５０】
次に，ステップＳ１０５におけるホスト・コンピュータ７のデータチェック・登録・更新処理について，図４を用いて説明する。
【００５１】
ホスト・コンピュータ７は，外国人登録申請データを入力する（ステップＳ２０１）。次に，外国人登録申請データの中の申請事由１が所定の事由（「新規登録」，「居住地変更」，「再交付」）であるか否かを判定する（ステップＳ２０２）。申請事由１が所定の事由でないと判定した場合は，申請事由１にエラーが有る旨のメッセージを作成して（ステップＳ２０３）から，ステップＳ２１５へ進む。申請事由１が所定の事由であると判定した場合は，続いて，申請事由１が新規登録であるか否かを判定する（ステップＳ２０４）。申請事由１が新規登録であると判定した場合は，登録順を示す登録番号を付与して（ステップＳ２０５）から，ステップＳ２１３へ進む。ステップＳ２０４で申請事由１が新規登録でないと判定した場合は，登録番号２２欄に登録番号が有るか否かを判定する（ステップＳ２０６）。登録番号が無いと判定した場合は，登録番号が無い旨のメッセージを作成して（ステップＳ２０７）から，ステップＳ２１５へ進む。ステップＳ２０６で登録番号が有ると判定した場合は，その登録番号を用いて，外国人登録申請データの中の身分事項とデータベース８の最新情報テーブル３０ａに格納されている身分事項を照合し，同じか否かを判定する（ステップＳ２０８）。身分事項が相違すると判定した場合は，身分事項にエラーが有る旨のメッセージを作成して（ステップＳ２０９）から，ステップＳ２１５へ進む。ステップＳ２０８で身分事項が同じと判定した場合は，変更項目情報６欄に変更項目情報が有るか否かを判定する（ステップＳ２１０）。変更項目情報が無いと判定した場合は，ステップＳ２１３へ進む。変更項目情報が有ると判定した場合は，外国人登録申請データの中の変更項目情報の内容（図示した例では「居住地：大阪」）とデータベース８の最新情報テーブル３０ａに格納されている（変更前の）変更項目情報の内容に合致する情報（図示した例では「居住地」）を照合し，同じか否かを判定する（ステップＳ２１１）。変更項目情報が相違すると判定した場合は，変更項目情報にエラーが有る旨のメッセージを作成する（ステップＳ２１２）。
【００５２】
ステップＳ２１３では，外国人登録申請データを最新情報テーブル３０ａに格納する。新規登録である場合は，登録番号３１と登録年月日３４が登録される。画像情報が有る場合は，画像番号３３が付与されて登録される。登録変更の場合は，変更情報を更新すると共に変更の履歴を書き込む。具体的には，変更情報を更新し，最新情報テーブル３０ａの変更履歴回数３２に１加え（図示した例では登録番号１と登録番号２が共に「１」に更新された），画像情報テーブル３０ｂに１レコード（画像番号４の分）追加し，変更履歴情報テーブル３０ｃの変更項目情報３８に書き込む（図示した例では登録番号１に「居住地：大阪」と，登録番号２に「画像番号：２」）と共に更新年月日３９を登録する。
【００５３】
続いて，外国人登録申請が完了した旨のメッセージを作成する（ステップＳ２１２）。
【００５４】
最後に，ステップＳ２１５では，付与された登録番号，及び／或いは，作成された各種メッセージを，サーバ・コンピュータ４へ送信して，データチェック・登録・更新処理を終了する。
【００５５】
【発明の効果】
以上述べたように，本発明によれば，外国人登録申請に必要な申請人（外国人），市区町村役場職員，及び地方入国管理局職員の負担を軽減することが出来るという効果があり，又外国人登録申請情報を，正確に管理し且つ即時に交付することを可能にすることが出来るという効果がある。
【図面の簡単な説明】
【図１】本発明に係る外国人登録電子申請システムの構成を示す図である。
【図２】外国人登録電子申請システムで使用される各種データ及びテーブルを示す図であり，（１）は入力データ，（２）は申請データテーブル１０，（３）は申請情報テーブル２０，（４）は登録情報テーブル３０である。
【図３】外国人登録電子申請システムの各装置の動作のフローチャートを示す図である。
【図４】本発明の外国人登録情報処理装置のデータチェック・登録・更新処理のフローチャートを示す図である。
【符号の説明】
１  入出力装置
２  クライアント・コンピュータ
３  ネットワーク
４  サーバ・コンピュータ
５  データベース
６  ネットワーク
７  ホスト・コンピュータ
８  データベース
【図１】
2004252735.tif 000003
【図２】
2004252735.tif 000004
【図３】
2004252735.tif 000005
【図４】
2004252735.tif 000006